(57)【特許請求の範囲】
【請求項１】
基台と、基台の上に設けた透明板からなる展示部と、展示部の上に設けた蓋体とからなり、前記展示部の一辺を扉として開閉自在とした展示ケースにおいて、
前記扉の上端部及び下端部を、該扉を水平方向に移動させる摺動機構と、該扉をほぼ９０度回転させる回転機構とを有する上部支持部材及び下部支持部材によりそれぞれ支持し、前記上部支持部材及び前記下部支持部材を、前記蓋体及び前記基台に、前後方向に移動可能な出没機構を介してそれぞれ支持し、前記出没機構により前方に移動させた前記扉を、前記摺動機構による水平方向への移動と前記回転機構によるほぼ９０度の回転とにより、前記展示部の側面とほぼ並列に配置可能とし、さらに前記上下の出没機構の前端一側部に、前記上部支持部材及び前記下部支持部材の一側部を、上下方向を向く枢軸ピンをもって枢着することにより前記回転機構とし、かつ前記上部支持部材及び前記下部支持部材における閉扉時の前面に設けた支持レールに、前記扉の後面上下部に固着した左右方向を向く可動レールを摺動自在に嵌合することにより、摺動機構としたことを特徴とする展示ケース。
【請求項２】
展示部の側面とほぼ並列に配置された扉の下縁の適所が、下部支持部材の前後方向への移動に従動して、前記展示部の側面から出没するようにした扉支持部により支持されるようにした請求項１記載の展示ケース。
【発明の詳細な説明】
【０００１】
【発明の属する技術分野】
本発明は、美術館や博物館等において、美術品や文化財などの展示物を陳列するために使用される展示ケース、特に、展示部の四面を透明板とした展示ケースの扉の開閉装置に関する。
【０００２】
【従来の技術】
この種の展示ケースは、図９に示すように、基台(１)と、その上に設けられた四面ガラス板で囲われた展示部(２)と、展示部(２)の上に設けられた蓋体(３)とからなり、展示部(２)の一辺を構成するガラス板からなる扉(４)が開く構造となっている。
【０００３】
従来のこの種の展示ケースとしては、例えば、実公平４−２６０１号公報及び特開平８−５６７８７号公報に記載されているものがある。
前者では、扉としての前面板が、摺動機構を介して横動可能に装備されており、後者では、扉としての戸板の上下部中央に固定支持体を固着し、これがケースの前面上下部に固着した左右方向を向く固定レールに走行可能で、かつ水平回転可能に取り付けられている。
【０００４】
【発明が解決しようとする課題】
しかし、上記前者では、展示ケースの前面をすべて開放させることがでず、また、後者では、扉が展示ケースの側面前方に大きく（扉の幅のほぼ半分程）飛び出すために、展示物の出し入れがしづらく、仮に扉の隅部を上下１対の固定支持体により保持させるとしても、扉の回転半径が大きくなり、かつ扉の支持が不安定になるという問題がある。
【０００５】
本発明は、上述の問題点に鑑み、展示ケースの前面を全面的に開放でき、しかも扉を開いたとき、この扉を、展示ケースの前方及び側方に大きく飛び出すことなく、展示ケースの側面に添って安定して支持しうるようにした展示ケースの開閉装置を提供することを目的としている。
【０００６】
【課題を解決するための手段】
本発明によると、上記課題は、次のようにして解決される。
（１）基台と、基台の上に設けた透明板からなる展示部と、展示部の上に設けた蓋体とからなり、前記展示部の一辺を扉として開閉自在とした展示ケースにおいて、前記扉の上端部及び下端部を、該扉を水平方向に移動させる摺動機構と、該扉をほぼ９０度回転させる回転機構とを有する上部支持部材及び下部支持部材によりそれぞれ支持し、前記上部支持部材及び前記下部支持部材を、前記蓋体及び前記基台に、前後方向に移動可能な出没機構を介してそれぞれ支持し、前記出没機構により前方に移動させた前記扉を、前記摺動機構による水平方向への移動と前記回転機構によるほぼ９０度の回転とにより、前記展示部の側面とほぼ並列に配置可能とし、さらに前記上下の出没機構の前端一側部に、前記上部支持部材及び前記下部支持部材の一側部を、上下方向を向く枢軸ピンをもって枢着することにより前記回転機構とし、かつ前記上部支持部材及び前記下部支持部材における閉扉時の前面に設けた支持レールに、前記扉の後面上下部に固着した左右方向を向く可動レールを摺動自在に嵌合することにより、摺動機構とする。
【０００７】
（２）上記(１)項において、展示部の側面とほぼ並列に配置された扉の下縁の適所が、該下部支持部材の前後方向への移動に従動して、前記展示部の側面から出没するようにした扉支持部により支持されるようにする。
【０００８】
【発明の実施の形態】
図１は、本発明の展示ケースの一実施形態における扉が閉まっている状態の概略縦断側面図であり、図２はこの展示ケースの基台の概略横断平面図である。
図１及び図２に示すように、基台(１)の内部には、前面からハンドル(５)により回転操作できるねじ棒(６)が、支持台(７)に、その中心軸線まわりに回転可能に取り付けられている。
【０００９】
ねじ棒(６)は、移動部材(８)に穿設された雌ねじ孔に螺合されており、ねじ棒(６)の回転により、移動部材(８)は、前後方向に移動することができる。
【００１０】
移動部材(８)の上面には比較的幅広の水平杆(９)が前後方向に取り付けられており、その後端部には、左右２本の垂直軸(10)が立設され、２本の垂直軸(10)の上端には、それぞれほぼ左右方向に延びる作動アーム(11)が軸着されている。作動アーム(11)の中間部は、基台(１)に立設された枢軸(11a)により枢支されている。
【００１１】
作動アーム(11)の外端は、前後方向に延びる短杆(12)の後端部に軸着されており、その前端は、前後方向に延びる作動杆(13)の後端に接続されている。
【００１２】
作動杆(13)は、基台(１)内に前後方向に摺動可能に支持されており、その前端は、ガラスまたはアクリル等の透明板製の扉(４)の下端部を支持する横向杆(14)の左右の端部付近に取り付けられている。
これらの水平杆(９)、作動アーム(11)、短杆(12)、作動杆(13)及び横向杆(14)により、基台(１)側の扉(４)の出没機構が形成され、ハンドル(５)、ねじ棒(６)、及び移動部材(８)等により、出没機構の駆動手段が形成されている。
【００１３】
前述の水平杆(９)の後端には、アングル材(15)が取り付けられており、アングル材(15)には垂直ピン(16)が突設されている。
【００１４】
垂直ピン(16)の後方には、水平プーリ(17)が基台(１)に軸着されており、この水平プーリ(17)に対向する基台(１)の中間部の側面に沿う位置に第２の水平プーリ(18)が、軸着されている。
また、この側面の前端近くの位置には、垂直プーリ(19)が基台(１)に軸着されている。
【００１５】
水平杆(９)の後端の垂直ピン(16)に、輪にした端部を掛止したワイヤ(20)は、水平プーリ(17)に掛け渡され、第２の水平プーリ(18)を介して、垂直プーリ(19)の下から掛け渡されて、基台(１)から蓋体(３)にかけて立設された中空支柱(21)内を通って、蓋体(３)の内部に達している。
【００１６】
図４に示すように、蓋体(３)の内部にも、中央部を蓋体(３)に軸着し、内端同士をピン(22)により軸着したほぼ左右方向に延びる作動アーム(23)が設けられている。これら２本の作動アームの外端は、前後方向に延びる短杆(24)の後端にそれぞれ軸着されており、これら短杆(24)の前端は、横向杆(25)の両側部に取り付けた作動杆(26)に接続されている。
これらの作動アーム(23)、短杆(24)、作動杆(26)及び横向杆(25)により、扉(４)の蓋体(３)側の出没機構が形成されている。
【００１７】
前述の中空支柱(21)内を通って蓋体(３)の内部に達したワイヤ(20)は、中空支柱(21)の出口において蓋体(３)に軸着された垂直プーリ(27)を通り、蓋体(３)の中間部に軸着した２個の水平プーリ(28)(29)を介して、この側面に近い側の短杆(24)の後端に突設したピン(30)に、輪にした端部が掛止されている。
【００１８】
蓋体(３)の左右２本の作動杆(26)のそれぞれの内側には、付勢手段(31)が設けられている。この付勢手段(31)は、蓋体(３)側に取り付けた取付片(32)と、この取付片(32)を貫通して前後方向に延び、かつ横向杆(25)に螺着した長ボルト(33)と、長ボルト(33)に外嵌され、かつ取付片(32)と長ボルト(33)の途中に螺合するナット(33a)との間に縮設されたコイルばね(34)とからなっている。このコイルばね(34)の張力は、長ボルト(33)に螺合するナット(33a)のねじ込み量を調節することによって変えることができる。
【００１９】
図４に示すように、横向杆(25)の一方の側部（この実施形態では、向かって左側の端部）には、上部支持部材(35)の左端部が、上下方向を向く枢軸ピン(36)により枢支されている。上部支持部材(35)の前面には、扉(４)の後面上部に固着した左右方向を向く可動レール(35b)を摺動自在に支持する支持レール(35a)が形成されている。したがって、扉(４)は、枢軸ピン(36)を中心に横向杆(25)から約９０度回動することができるとともに、上部支持部材(35)の支持レール(35a)に沿ってほぼ水平に摺動することができる。
【００２０】
図１に示すように、横向杆(14)の左端部にも、上部支持部材(35)と同様の下部支持部材(43)が、同様の枢軸ピン(42)により枢支されている。下部支持部材(43)の上面には、扉(４)の下端に固着した可動レール(43b)を摺動自在に支持する支持レール(43a)が形成されている。したがって、扉(４)は、枢軸ピン(42)を中心に横向杆(14)から９０度回動することができるとともに、下部支持部材(43)の支持レール(43a)に沿って摺動することができる。
【００２１】
上部支持部材(35)の支持レール(35a)と可動レール(35b)及び下部支持部材(43)の支持レール(43a)と可動レール(43b)により、上下の摺動機構が形成され、上部支持部材(35)、枢軸ピン(36)、下部支持部材(43)及び枢軸ピン(42)により、上下の回動機構が形成されている。
【００２２】
さらに、上述した蓋体(３)側の出没機構と、上方の摺動機構及び回動機構とにより、扉(４)の上部を支持する上部支持手段(Ａ)が形成され、基台(１)側の出没機構と、下方の摺動機構及び回動機構とにより、扉の下部を支持する下部支持手段(Ｂ)が形成されている。
【００２３】
図２及び図３に戻り、基台(１)内部の、向かって左側の短杆(12)と作動杆(13)との接続部に、アーム(37)の前端が軸着されており、このアーム(37)の後端は、クランクアーム(38)の一端に軸着されている。
【００２４】
クランクアーム(38)の他端は、向かって左側の側部の中間部から側方に突出可能に基台(１)に強固に案内支持された軸状の摺動部材(39)の内端に軸着されている。摺動部材(39)の外端には、円盤状の扉支持部(40)が軸支されている。
円盤状で回転可能な扉支持部(40)には、扉(４)の下端を案内するフランジ部(41)が形成されている。なお、この実施形態では、扉支持部(40)は円盤状として例示したが、所望によっては、例えば単なる上向きコ字状の非回転部材とすることもできる。
【００２５】
扉(４)の開閉操作に当たっては、まずハンドル(５)を基台(１)の前面から挿入して、ねじ棒(６)の端部に係合させ、ハンドル(５)を回転させることにより、ねじ棒(６)を、その中心軸線まわりに回転させ、水平杆(９)を後退させる。この水平杆(９)の後退に伴い、左右の作動アーム(11)は、それぞれ枢軸(12)のまわりに回動し、その外端で作動杆(13)を前方に移動させ、扉(４)の下端を支持している横向杆(14)は、展示ケース前面から前方に移動させられる。この状態が図３に示されている。
【００２６】
この時、扉支持部(40)は、摺動部材(39)がアーム(37)及びクランクアーム(38)を介して側方に突き出されるので、図３に示すように展示ケースの側面から突出する。
【００２７】
基台(１)側の上述の出没機構の動きは、ケーブル(20)により蓋体(３)側の出没機構に伝えられる。すなわち、水平杆(９)が図２に示す位置から図３に示す位置まで後退するのに伴って、ケーブル(20)がその分だけ緩められる。それまで付勢手段(31)の張力に抗して扉(４)の上部担持部(25)を、短杆(24)、作動アーム(23)、作動杆(26)を介して内方に引っ張っていたケーブル(20)が緩められるので、横向杆(25)は、扉(４)とともに、付勢手段(31)の力により、展示ケース前面から前方に押し出される。この状態が図５に示されている。結果として、上下の横向杆(14)(25)は、扉(４)とともに同じ距離だけ前方に移動する。
【００２８】
ついで、このように前方に移動させた扉(４)を、向かって左側に、全長の半分ほど水平方向に引くと、扉(４)の上下端は、上部支持部材(35)の支持レール(35a)及び下部支持部材(43)の支持レール(43a)内で案内されて摺動し、図６に示す位置となる。
【００２９】
この状態から、扉(４)を、上下部支持部材(35)(43)ごと枢軸ピン(36)(42)のまわりにほぼ９０度回動させる。この状態が図７に示されている。
【００３０】
それから、扉(４)を展示ケース側面すなわち展示部(２)の側面とほぼ平行をなすようにして、上下部支持部材(35)(43)上を、残りの半分ほどを摺動させて、その後部の下端部を、前述の円盤状の扉支持部(40)に係合させ、その荷重で扉支持部(40)を回転させながら、なお摺動させると、図８に示す、展示ケースへの陳列物の出し入れにまったく支障がない最終位置に到達する。この位置では、扉(４)の前端部は上下部支持部材(35)(43)に、また後端近くでは扉支持部(40)により支えられるので、安定して支持される。
扉(４)を閉じる場合は、上述と逆の操作を行えばよい。
【００３１】
【発明の効果】
請求項１記載の発明によれば、展示ケースの前面をすべて開放することができる。また、扉を、最小限の回転半径で展示ケースの側面に、展示ケース前面からの飛び出し量を最小限にして収納させることができる。
【００３２】
請求項２記載の発明によれば、扉の重量を分散して支持することが可能となり、扉を安定して、かつ容易に摺動及び収納することができる。
【図面の簡単な説明】
【図１】  本発明の展示ケースの一実施形態の概略縦断面側面図で、扉が閉じている状態を示す図である。
【図２】  同じく基台内部の詳細を示す展示ケースの概略横断面平面図で、扉が閉じている状態を示す図である。
【図３】  同じく扉を前方に移動させた状態を示す図である。
【図４】  同じく蓋体内部の詳細を示す展示ケースの概略横断面平面図で、扉を閉じた状態を示す図である。
【図５】  同じく扉を前方に移動させた状態を示す図である。
【図６】  同じく扉を横方向に移動させた状態を示す図である。
【図７】  同じく扉を約９０度側方に回動させた状態を示す図である。
【図８】  同じく扉を展示ケース側部に沿って移動させた最終状態を示す図である。
【図９】  展示ケースの外観斜視図である。
【符号の説明】
(Ａ)上部支持手段
(Ｂ)下部支持手段
(１)基台
(２)展示部
(３)蓋体
(４)扉
(５)ハンドル
(６)ねじ棒
(７)支持台
(８)移動部材
(９)水平杆
(10)垂直軸
(11)作動アーム
(11a)枢軸
(12)短杆
(13)作動杆
(14)横向杆
(14a)上向きレール
(15)アングル材
(16)垂直ピン
(17)(18)水平プーリ
(19)垂直プーリ
(20)ワイヤ
(21)中空支柱
(22)ピン
(23)作動アーム
(24)短杆
(25)横向杆
(26)作動杆
(27)垂直プーリ
(28)(29)水平プーリ
(30)ピン
(31)付勢手段
(32)取付片
(33)長ボルト
(33a)ナット
(34)コイルばね
(35)上部支持部材
(35a)支持レール
(35b)可動レール
(36)枢軸ピン
(37)アーム
(38)クランクアーム
(39)摺動部材
(40)扉支持部
(41)フランジ部
(42)枢軸ピン
(43)下部支持部材
(43a)支持レール
(43b)可動レール
【図１】
0004414527.tif 000002
【図２】
0004414527.tif 000003
【図３】
0004414527.tif 000004
【図４】
0004414527.tif 000005
【図５】
0004414527.tif 000006
【図６】
0004414527.tif 000007
【図７】
0004414527.tif 000008
【図８】
0004414527.tif 000009
【図９】
0004414527.tif 000010